(57)【要約】【課題】反射膜が非形成とされた所定の層位置に対してマーク記録が行われるバルク型の光記録媒体について、上記所定の層位置にフォーカスサーボがかけられるようにする。【解決手段】上記バルク型の光記録媒体として、上記所定の層位置にその焦点が一致するように照射された光が入射したときに、上記所定の層位置に反射膜が形成されている場合に受光面上にて得られる像と同様の像を上記受光面上に形成することのできる回折光を出力するように構成された回折層を備えるようにする。これにより、上記回折層からの回折光を上記受光面上で受光して得られるフォーカスエラー信号に基づき、上記所定の層位置を対象としたフォーカスサーボを行うことができる。【選択図】図２
2011204323.tif 000002
【特許請求の範囲】
【請求項１】
反射膜が非形成とされた所定の層位置に対してマーク記録が行われるバルク型の光記録媒体であって、
上記所定の層位置にその焦点が一致するように照射された光が入射したときに、上記所定の層位置に反射膜が形成されている場合に受光面上にて得られる像と同様の像を上記受光面上に形成することのできる回折光を出力するように構成された回折層を備える
光記録媒体。
【請求項２】
反射膜を有さず所定の層位置に対してマーク記録が行われるバルク状の記録層が、上記回折層とは別途に備えられると共に、上記所定の層位置が上記バルク層内に対して設定されている
請求項１に記載の光記録媒体。
【請求項３】
上記記録層には複数の上記層位置が設定されており、
上記回折層は、
上記記録層に設定された上記複数の層位置の個々について、一の層位置に焦点が一致するように照射された光が入射したときに上記一の層位置に反射膜が形成されている場合に受光面上にて得られる像と同様の像を上記受光面上に形成することのできる回折光をそれぞれ出力するように構成されている
請求項２に記載の光記録媒体。
【請求項４】
上記回折層は、
上記記録層内の上記所定の層位置にその焦点が一致し且つ該焦点が記録面内方向の所定位置に位置するようにして照射された光が入射したときに、上記所定の層位置にトラックを有する反射膜が形成され且つ上記焦点が上記トラック上をトレースしている場合に受光面上にて得られる像と同様の像を上記受光面上に形成することのできる回折光を出力するように構成されている
請求項２に記載の光記録媒体。
【請求項５】
上記回折層はホログラム記録材料に干渉縞が形成されて成る請求項２に記載の光記録媒体。
【請求項６】
上記回折層は凹凸断面形状が与えられた反射膜で構成される請求項２に記載の光記録媒体。
【請求項７】
上記記録層は樹脂材料で構成される請求項２に記載の光記録媒体。
【請求項８】
上記所定の層位置は上記回折層内に設定され、上記回折層が上記マークを記録する層と兼用とされる
請求項１に記載の光記録媒体。
【請求項９】
反射膜が非形成とされた所定の層位置に対してマーク記録が行われるバルク型の光記録媒体の製造方法であって、
上記所定の層位置にその焦点が一致するように照射された光が入射したときに、上記所定の層位置に反射膜が形成されている場合に受光面上にて得られる像と同様の像を上記受光面上に形成することのできる回折光を出力する回折層を生成する回折層生成工程を少なくとも有する
光記録媒体の製造方法。
【請求項１０】
上記回折層生成工程では、
ホログラム記録材料に対してそれぞれ対向する方向から物体光と参照光とを照射して干渉縞を形成して生成したマスター回折層を生成した上で、他のホログラム記録材料に該マスター回折層に形成された干渉縞を平行光の照射により転写することで、上記回折層を生成する
請求項９に記載の光記録媒体の製造方法。
【請求項１１】
上記光記録媒体は、
上記回折層生成工程により生成した上記回折層と、反射膜を有さず所定の層位置に対してマーク記録が行われるバルク状の記録層とを有するものとされ、
上記回折層生成工程では、
上記記録層に設定される所定の層位置と同一となる層位置に対して反射膜が形成されたマスター作成用構造体を生成すると共に、
該マスター作成用構造体に対し、ホログラム記録材料を、上記光記録媒体における上記記録層と上記回折層との位置関係と同じ位置関係となるように配置した上で、上記マスター作成用構造体の上記反射膜に対し上層側から合焦する参照光と下層側から合焦する物体光とをそれぞれ照射して上記ホログラム記録材料に干渉縞を形成することで、上記マスター回折層を生成する
請求項１０に記載の光記録媒体の製造方法。
【請求項１２】
上記記録層には複数の層位置が設定され、
上記回折層生成工程では、
上記マスター作成用構造体として、上記記録層に設定される各層位置とそれぞれ同一となる層位置に対して反射膜が形成されたものを生成すると共に、
該生成したマスター作成用構造体に対しホログラム記録材料を上記光記録媒体における上記記録層と上記回折層との位置関係と同じ位置関係となるように配置した状態にて、上記物体光と上記参照光とを上記マスター作成用構造体に形成された上記反射膜の個々に逐次合焦させるように照射して上記ホログラム記録材料に干渉縞を形成することで、上記マスター回折層を生成する
請求項１１に記載の光記録媒体の製造方法。
【請求項１３】
上記回折層生成工程では、
上記マスター作成用構造体として、上記記録層に設定される所定の層位置と同一となる層位置に対してトラックを有する反射膜が形成されたものを生成すると共に、
該生成したマスター作成用構造体に対し、ホログラム記録材料を、上記光記録媒体における上記記録層と上記回折層との位置関係と同じ位置関係となるように配置した上で、上記物体光と上記参照光とを、それぞれの焦点が上記反射膜上に一致し且つ上記反射膜に形成された上記トラックに追従するように照射して上記ホログラム記録材料に干渉縞を形成することで、上記マスター回折層を生成する
請求項１１に記載の光記録媒体の製造方法。
【請求項１４】
上記回折層生成工程では、
上記干渉縞が転写された上記他のホログラム記録媒体に対するポストキュアを行う
請求項１０に記載の光記録媒体の製造方法。
【請求項１５】
上記回折層生成工程では、
ホログラム記録材料に対して、参照光と、空間光変調器を介して変調した物体光とをそれぞれ対向する方向から照射して干渉縞を形成することで、上記マスター回折層を生成する
請求項１０に記載の光記録媒体の製造方法。
【請求項１６】
上記回折層生成工程では、
計算機合成ホログラムとして算出した凹凸断面形状を有する原盤に基づき、上記凹凸断面形状を転写した凹凸転写部材を生成すると共に、
該凹凸転写部材の上記凹凸断面形状の転写面に対して反射膜を形成することで、上記回折層を生成する
請求項９に記載の光記録媒体の製造方法。
【請求項１７】
反射膜が非形成とされた所定の層位置に対してマーク記録が行われるバルク型の光記録媒体であって、上記所定の層位置にその焦点が一致するように照射された光が入射したときに、上記所定の層位置に反射膜が形成されている場合に受光面上にて得られる像と同様の像を上記受光面上に形成することのできる回折光を出力するように構成された回折層を備える光記録媒体に対し、
対物レンズを介して光照射を行うと共に、該光照射に応じて得られる上記回折層からの回折光を上記受光面上で受光して得られるフォーカスエラー信号に基づき、上記所定の層位置を対象とした上記対物レンズのフォーカスサーボ制御を行う
サーボ制御方法。
【請求項１８】
上記光記録媒体には、
上記マーク記録が行われる所定の層位置として複数の層位置が設定されており、
上記回折層は、
上記光記録媒体に設定された上記複数の層位置の個々について、一の層位置に焦点が一致するように照射された光が入射したときに上記一の層位置に反射膜が形成されている場合に上記受光面上にて得られる像と同様の像を上記受光面上に形成することのできる回折光をそれぞれ出力するように構成されており、
上記対物レンズをフォーカス方向に駆動したときに得られる上記フォーカスエラー信号のＳ字波形に基づき、所望の上記層位置へのフォーカスサーボ引き込みを行う
請求項１７に記載のサーボ制御方法。
【請求項１９】
上記回折層は、
上記所定の層位置にその焦点が一致し且つ該焦点が記録面内方向の所定位置に位置するようにして照射された光が入射したときに、上記所定の層位置にトラックを有する反射膜が形成され且つ上記焦点が上記トラック上をトレースしている場合に上記受光面上にて得られる像と同様の像を上記受光面上に形成することのできる回折光を出力するように構成されており、
上記回折層からの回折光を上記受光面上で受光して得られるトラッキングエラー信号に基づき、上記対物レンズのトラッキングサーボ制御を行う
請求項１７に記載のサーボ制御方法。
【発明の詳細な説明】
【技術分野】
【０００１】
本発明は、反射膜が非形成とされた所定の層位置に対してマーク記録が行われるバルク型の光記録媒体と、その製造方法とに関する。また、そのようなバルク型の光記録媒体についてのサーボ制御方法に関する。
【先行技術文献】
【特許文献】
【０００２】
【特許文献１】特開２００８−１３５１４４号公報
【特許文献２】特開２００８−１７６９０２号公報
【背景技術】
【０００３】
光の照射により信号の記録／再生が行われる光記録媒体として、例えばＣＤ（Compact Disc）、ＤＶＤ（Digital Versatile Disc）、ＢＤ（Blu-ray Disc：登録商標）などのいわゆる光ディスクが普及している。
【０００４】
これらＣＤ、ＤＶＤ、ＢＤなど現状において普及している光記録媒体の次世代を担うべき光記録媒体に関して、先に本出願人は、上記特許文献１や上記特許文献２に記載されるようないわゆるバルク記録型（単にバルク型とも呼ばれる）の光記録媒体を提案している。
【０００５】
ここで、バルク記録とは、例えば図１６に示すようにして少なくともカバー層１０１とバルク層（記録層）１０２とを有する光記録媒体（バルク型記録媒体１００）に対し、逐次焦点位置を変えてレーザ光照射を行ってバルク層１０２内に多層記録を行うことで、大記録容量化を図る技術である。
【０００６】
このようなバルク記録に関して、上記特許文献１には、いわゆるマイクロホログラム方式と呼ばれる記録技術が開示されている。マイクロホログラム方式では、バルク層１０２の記録材料として、いわゆるホログラム記録材料が用いられる。ホログラム記録材料としては、例えば光重合型フォトポリマ等が広く知られている。
【０００７】
マイクロホログラム方式は、ポジ型マイクロホログラム方式と、ネガ型マイクロホログラム方式とに大別される。
ポジ型マイクロホログラム方式は、対向する２つの光束（光束Ａ、光束Ｂ）を同位置に集光して微細な干渉縞（ホログラム）を形成し、これを記録マークとする手法である。
また、ネガ型マイクロホログラム方式は、ポジ型マイクロホログラム方式とは逆の発想で、予め形成しておいた干渉縞をレーザ光照射により消去して、当該消去部分を記録マークとする手法である。このネガ型マイクロホログラム方式では、初期化処理として、予めバルク層に干渉縞を形成しておく処理が必要となる。
【０００８】
また、本出願人は、マイクロホログラム方式とは異なるバルク記録の手法として、例えば特許文献２に開示されるようなボイド（空包、空孔）を記録マークとして形成する記録手法も提案している。
ボイド記録方式は、例えば光重合型フォトポリマなどの記録材料で構成されたバルク層１０２に対して、比較的高パワーでレーザ光照射を行い、上記バルク層１０２内に空包を記録する手法である。特許文献２に記載されるように、このように形成された空包部分は、バルク層１０２内における他の部分と屈折率が異なる部分となり、それらの境界部分で光の反射率が高められることになる。従って上記空包部分は記録マークとして機能し、これによって空包マークの形成による情報記録が実現される。
【０００９】
このようなボイド記録方式は、ホログラムを形成するものではないので、記録にあたっては片側からの光照射を行えば済むものとできる。すなわち、上述のポジ型マイクロホログラム方式の場合のように２つの光束を同位置に集光して記録マークを形成する必要は無いものとできる。
また、ネガ型マイクロホログラム方式との比較では、初期化処理を不要にできるというメリットがある。
なお、特許文献２には、ボイド記録を行うにあたり記録前のプリキュア光の照射を行う例が示されているが、このようなプリキュア光の照射は省略してもボイドの記録は可能である。
【発明の概要】
【発明が解決しようとする課題】
【００１０】
ここで、上記のような各種の記録手法が提案されているバルク型の光記録媒体であるが、このようなバルク型の光記録媒体が有するバルク層（記録層）は、例えば反射膜が複数形成されるという意味での明示的な多層構造を有するものではない。すなわち、バルク層においては、通常の多層光記録媒体が備えているような記録層ごとの反射膜は設けられていない。
【００１１】
このようなバルク状の記録層とすることで、多層記録を実現するにあっての光記録媒体の製造コストを効果的に削減することができる。すなわち、多層記録を行う場合において、従来の光ディスクのように記録対象とする層位置ごとに反射膜を形成したのでは、多層化による記録容量の拡大に比例して光記録媒体の製造コストも増加してしまうものとなるが、図１６に示したようなバルク型記録媒体１００の構造によれば、そのようなコストの増加が防止されるものである。
【００１２】
しかしながら、バルク層１０２は反射膜を有していないため、特にマークが未形成である記録時においては、通常の光ディスクに対する手法と同様の手法で所望の層位置にフォーカスサーボをかけるといったことができない。
このことからも理解されるように、バルク記録を行う場合においては、バルク層１０２内の所要の層位置を対象として適正にマーク列が記録できるように、何らかの工夫が必要となる。
【課題を解決するための手段】
【００１３】
本発明では以上のような問題点に鑑み、光記録媒体として以下のように構成することとした。
すなわち、本発明の光記録媒体は、反射膜が非形成とされた所定の層位置に対してマーク記録が行われるバルク型の光記録媒体であって、
上記所定の層位置にその焦点が一致するように照射された光が入射したときに、上記所定の層位置に反射膜が形成されている場合に受光面上にて得られる像と同様の像を上記受光面上に形成することのできる回折光を出力するように構成された回折層を備えるものである。
【００１４】
また、本発明では光記録媒体の製造方法として以下のような方法を提案する。
つまり、本発明の光記録媒体の製造方法は、反射膜が非形成とされた所定の層位置に対してマーク記録が行われるバルク型の光記録媒体の製造方法であって、
上記所定の層位置にその焦点が一致するように照射された光が入射したときに、上記所定の層位置に反射膜が形成されている場合に受光面上にて得られる像と同様の像を上記受光面上に形成することのできる回折光を出力する回折層を生成する回折層生成工程を少なくとも有するものである。
【００１５】
また、本発明ではサーボ制御方法として以下のようにすることとした。
すなわち、反射膜が非形成とされた所定の層位置に対してマーク記録が行われるバルク型の光記録媒体であって、上記所定の層位置にその焦点が一致するように照射された光が入射したときに、上記所定の層位置に反射膜が形成されている場合に受光面上にて得られる像と同様の像を上記受光面上に形成することのできる回折光を出力するように構成された回折層を備える光記録媒体に対し、対物レンズを介して光照射を行うと共に、該光照射に応じて得られる上記回折層からの回折光を上記受光面上で受光して得られるフォーカスエラー信号に基づき、上記所定の層位置を対象とした上記対物レンズのフォーカスサーボ制御を行うようにした。
【００１６】
上記のように本発明の光記録媒体は、マーク記録が行われるべき上記所定の層位置にその焦点が一致するように光照射が行われたときに、上記所定の層位置に反射膜が形成されている場合に受光面上にて得られる像と同様の像を上記受光面上に形成することのできる回折光が出力されるように構成された回折層を備えている。
このような本発明の光記録媒体によれば、実際には上記所定の層位置に反射膜が形成されていなくとも、上記所定の層位置に合焦する光が照射されることに応じ、上記受光面上ではあたかも上記所定の層位置に形成された反射膜に上記光が合焦しているかのような像が得られるようにできる。このことから、上記回折層からの回折光を上記受光面上で受光して得られるフォーカスエラー信号に基づいて、上記所定の層位置を対象としたフォーカスサーボ制御を行うことができる。つまりこの結果、反射膜が形成されていない上記所定の層位置に対して、フォーカスサーボをかけることができるものである。
【発明の効果】
【００１７】
上記のようにして本発明によれば、反射膜が非形成とされた所定の層位置に対してマーク記録が行われるバルク型の光記録媒体について、上記所定の層位置を対象としたフォーカスサーボをかけることができる。
このように反射膜が非形成とされた所定の層位置を対象としてフォーカスサーボをかけることができることで、バルク状の記録層内における所定の層位置に対して適正にマーク記録を行うことができる。
【図面の簡単な説明】
【００１８】
【図１】第１の実施の形態としてのバルク型記録媒体の断面構造図である。
【図２】ホログラムガイド層による作用について説明するための図である。
【図３】マスターホログラムガイド層の生成工程の例を示した図である。
【図４】第１の実施の形態のバルク型記録媒体の製造方法の具体例について説明するための図である。
【図５】マスターホログラムガイド層からの干渉縞の転写について説明するための図である。
【図６】干渉縞の転写後に行われるポストキュアについて説明するための図である。
【図７】第１の実施の形態としての光学ドライブ装置の内部構成を示した図である。
【図８】フォーカスサーチ動作時に得られるＰｕｌｌ Ｉｎ信号、フォーカスエラー信号の波形を例示した図である。
【図９】フォーカスサーボ引き込みの具体的な手法の一例について説明するための図である。
【図１０】第２の実施の形態としての光学ドライブ装置の内部構成を示した図である。
【図１１】第３の実施の形態としての光学ドライブ装置の内部構成を示した図である。
【図１２】第４の実施の形態としてのバルク型記録媒体の断面構造図である。
【図１３】第４の実施の形態のバルク型記録媒体の製造方法の具体例について説明するための図である。
【図１４】マスターホログラムガイド層の他の生成手法について説明するための図である。
【図１５】変形例としてのバルク型記録媒体について説明するための図である。
【図１６】バルク記録について説明するための図である。
【発明を実施するための形態】
【００１９】
以下、発明を実施するための最良の形態（以下実施の形態とする）について説明していく。
なお、説明は以下の順で行うものとする。
＜１．第１の実施の形態＞
［1-1．光記録媒体の構造］
［1-2．ホログラムガイド層による作用］
［1-3．光記録媒体の製造方法例］
［1-4．光学ドライブ装置の構成とサーボ制御手法］
＜２．第２の実施の形態＞
＜３．第３の実施の形態＞
＜４．第４の実施の形態＞
＜５．変形例＞
【００２０】
＜１．第１の実施の形態＞
［1-1．光記録媒体の構造］
図１は、本発明の光記録媒体の一実施形態としてのバルク型記録媒体１の断面構造を示している。
図１において、バルク型記録媒体１は、ディスク状の光記録媒体とされ、回転駆動されるバルク型記録媒体１に対するレーザ光照射が行われてマーク記録（情報記録）が行われる。また、記録情報の再生としても、回転駆動されるバルク型記録媒体１に対してレーザ光を照射して行われる。
なお光記録媒体とは、光の照射により情報の記録／再生が行われる記録媒体を総称したものである。
【００２１】
図１に示されるように、バルク型記録媒体１には、上層側から順にカバー層２、ホログラムガイド層３、バルク層４、及び基板５が形成されている。
ここで、本明細書において「上層側」とは、後述する実施の形態としての光学ドライブ装置（記録再生装置１０など）側からのレーザ光が入射する面を上面としたときの上層側を指す。
【００２２】
また、本明細書においては「深さ方向」という語を用いるが、この「深さ方向」とは、上記「上層側」の定義に従った上下方向と一致する方向（すなわち光学ドライブ装置側からのレーザ光の入射方向に平行な方向：フォーカス方向）を指すものである。
【００２３】
バルク型記録媒体１において、上記カバー層２は、例えばポリカーボネートやアクリルなどの樹脂で構成され、下層側に形成された層（この場合はホログラムガイド層３）の保護層として機能する。
【００２４】
ホログラムガイド層３は、後述するようにして、バルク層４におけるマーク記録位置を案内するための層として機能する。
なお、このホログラムガイド層３については後に改めて説明する。
【００２５】
バルク層４は、反射膜を有さず所定の層位置にマーク記録が行われる記録層である。
このバルク層４の形成材料（記録材料)としては、例えば先に説明したポジ型マイクロホログラム方式やネガ型マイクロホログラム方式、ボイド記録方式など、採用するバルク記録の方式に応じて適宜最適なものが採用されればよい。
なお、本発明の光記録媒体に対するマーク記録方式は特に限定されるべきものではなく、バルク記録方式の範疇において任意の方式が採用されればよい。以下の説明においては一例として、ボイド記録方式が採用される場合を例示する。
【００２６】
バルク層４の下層側に形成された基板５は、例えばポリカーボネートやアクリルなどの樹脂で構成されたものとなる。
【００２７】
ここで、上記のような構成を有するバルク型記録媒体１においては、バルク層内に多層記録を行うために、予めマーク記録を行うべき各層位置（情報記録層位置Ｌ）が設定される。本実施の形態のバルク型記録媒体１において、情報記録層位置Ｌとしては、図のように例えば上層側から順に第１情報記録層位置Ｌ１、第２情報記録層位置Ｌ２、第３情報記録層位置Ｌ３、第４情報記録層位置Ｌ４、第５情報記録層位置Ｌ５の計５つが設定されているとする。
【００２８】
［1-2．ホログラムガイド層による作用］
図２は、ホログラムガイド層３による作用について説明するための図である。
図２（ａ）は、対物レンズの位置を、該対物レンズを介した光がバルク層４内に設定された情報記録層位置Ｌ１に焦点を結ぶ位置に駆動して光照射を行った場合のホログラムガイド層３による作用について説明するための図であり、図２（ｂ）は、対物レンズの位置を、該対物レンズを介した光がバルク層４内に設定された情報記録層位置Ｌ５に焦点を結ぶ位置に駆動して光照射を行った場合のホログラムガイド層３による作用について説明するための図である。
【００２９】
ここで先ず前提として、図２に示されるように本実施の形態では、バルク型記録媒体１に対して、録再用レーザ光とサーボ用レーザ光とによる２種の光を共通の対物レンズを介して照射するものとしている。
上記録再用レーザ光は、バルク層４に対するマーク記録、及び記録マークの再生を行うための光である。また上記サーボ用レーザ光は、以下で説明するホログラムガイド層３の作用に基づき、バルク層４内における上記録再用レーザ光によるマーク記録位置を案内するために照射される光となる。
【００３０】
これら録再用レーザ光とサーボ用レーザ光としては、それぞれ波長の異なるレーザ光を用いる。具体的に本例において、上記録再用レーザ光としては波長λ＝４０５ｎｍ程度のレーザ光（青紫色レーザ光）を用い、上記サーボ用レーザ光としては波長λ＝６４０ｎｍ程度のレーザ光（赤色レーザ光）を用いるものとしている。
【００３１】
このとき、対物レンズ（図７では対物レンズ１７が該当）としては、録再用レーザ光とサーボ用レーザ光とが共に平行光で入射されるとき、これら録再用レーザ光とサーボ用レーザ光の焦点位置が一致するように設計されているものとする。このことで、対物レンズがフォーカス方向に駆動されても、録再用レーザ光とサーボ用レーザ光の焦点位置が常に一致するようにされている。
【００３２】
以上の前提を踏まえた上で、ホログラムガイド層３について説明する。
先ず、本実施の形態において、ホログラムガイド層３としては、ホログラム記録材料に参照光と物体光の照射に伴う干渉縞が形成され、反射型の回折素子として機能する。
そしてホログラムガイド層３は、上記干渉縞の形成パターンによって、次のような作用が得られるように構成されている。すなわち、バルク層４内の所定の層位置にその焦点が一致するように照射された光が入射したときに、上記所定の層位置に反射膜が形成されている場合に受光面上にて得られる像と同様の像を上記受光面上に形成することのできる回折光を出力する、という作用である。
なお確認のために述べておくと、上記「受光面」は、バルク型記録媒体１についての記録（又は再生）を行う光学ドライブ装置においてバルク型記録媒体１からの反射光を対物レンズを介して受光するために設けられた受光素子の受光面を指すものである。
【００３３】
このとき、バルク型記録媒体１においては、前述のようにバルク層４内においてマーク記録を行う層位置として情報記録層位置Ｌ１〜情報記録層位置Ｌ５による複数の層位置を設定しているので、これに対応してホログラムガイド層３としては、具体的には次のように構成されたものを用いる。
すなわち、バルク層４内に設定された上記複数の層位置Ｌの個々について、一の層位置Ｌに焦点が一致するように照射された光が入射したときに上記一の層位置Ｌに反射膜が形成されている場合に受光面上にて得られる像と同様の像を上記受光面上に形成することのできる回折光をそれぞれ出力するように構成されたものである。
【００３４】
なおかつ、この場合のホログラムガイド層３は、上記干渉縞が、サーボ用レーザ光と同波長による上記参照光と上記物体光との照射により形成されていることで、上記のような回折作用が、サーボ用レーザ光の照射に応じてのみ得られるようにされている。すなわちこの場合のホログラムガイド層３は、その回折作用に関して波長選択性を有するものである。なお、このような波長選択性は、いわゆるブラッグの法則より導かれる自明な事項である。
【００３５】
上記のように構成されたホログラムガイド層３による作用について具体的に説明すると、先ず、図２（ａ）のように、対物レンズの位置を、該対物レンズを介した録再用レーザ光とサーボ用レーザ光がバルク層４内に設定された情報記録層位置Ｌ１に焦点を結ぶ位置に駆動して光照射を行った場合、上記ホログラムガイド層３が有する上記の波長選択性により、録再用レーザ光は該ホログラムガイド層３を透過して、バルク層４内の情報記録層位置Ｌ１に焦点を結ぶことになる。
一方でサーボ用レーザ光は、ホログラムガイド層３にて回折されて、その回折光が対物レンズを介して装置側に戻されることになるが、このとき、上記の回折作用によって、上記受光面上には、上記情報記録層位置Ｌ１に反射膜が形成され該反射膜上にサーボ用レーザ光が合焦しているときと同様の像が形成されることになる。すなわち、上記受光面上に得られる像で見れば、あたかも上記情報記録層位置Ｌ１に反射膜が形成されていて、該反射膜上にサーボ用レーザ光が合焦していることと等価な作用が得られるものである。
【００３６】
同様にして、図２（ｂ）のように、対物レンズの位置を、該対物レンズを介した録再用レーザ光とサーボ用レーザ光がバルク層４内に設定された情報記録層位置Ｌ５に焦点を結ぶ位置に駆動して光照射を行った場合には、上記の波長選択性により録再用レーザ光は上記情報記録層位置Ｌ５に焦点を結ぶ一方で、サーボ用レーザ光はホログラムガイド層３にて回折されることで、上記受光面上に対し、上記情報記録層位置Ｌ５に反射膜が形成され該反射膜上にサーボ用レーザ光が合焦しているときと同様の像を形成することになる。
【００３７】
ここで、仮に、対物レンズとバルク型記録媒体１との距離が変化するなどして、対物レンズを介してバルク型記録媒体１に照射されるレーザ光の焦点位置が図２（ａ）や図２（ｂ）に示す位置から変化した場合には、上記受光面上で形成されるサーボ用レーザ光の像としても、上記の合焦状態と等価な状態での像から変化が生じる。つまりこの結果、上記受光面上にてサーボ用レーザ光の回折光（反射光）を受光して得られるフォーカスエラー信号にも、上記合焦状態と等価な状態での信号から変化が生じることとなる。
このことからも理解されるように、上記ホログラムガイド層３が設けられたことで、装置側では、上記受光面上でサーボ用レーザ光の反射光を受光して得たフォーカスエラー信号から、録再用レーザ光の焦点位置が対象とする所望の情報記録層位置Ｌに対して一致しているか否かを知ることができる。つまり、このようなサーボ用レーザ光についてのフォーカスエラー信号に基づき、録再用レーザ光の焦点位置が対象とする所望の情報記録層位置Ｌに一致するように、対物レンズのフォーカスサーボ制御を行うことができる。換言すれば、録再用レーザ光に関して、所望の情報記録層位置Ｌを対象としてフォーカスサーボをかけることができるものとなる。
【００３８】
ここで、上記による説明では、簡単のため、本実施の形態のホログラムガイド層３が、上記のようなフォーカスサーボのための像生成機能のみが得られるように構成されるものとしたが、実際においてホログラムガイド層３としては、トラッキングサーボも可能となるようにすべく、次のような構成のものを用いる。
すなわち、本実施の形態のホログラムガイド層３は、バルク層４内の所定の層位置にその焦点が一致し且つ該焦点が記録面内方向の所定位置に位置するようにして照射された光が入射したときに、上記所定の層位置にトラックを有する反射膜が形成され且つ上記焦点が上記トラック上をトレースしている場合に受光面上にて得られる像と同様の像を上記受光面上に形成することのできる回折光を出力するように構成されるものである。
【００３９】
このような構成によるホログラムガイド層３が用いられた場合の作用について説明する。
例えば図２（ａ）に示すように録再用レーザ光の焦点位置が情報記録層位置Ｌ１に一致するように対物レンズが駆動されている状態において、対物レンズのトラッキング方向（バルク型記録媒体１の半径方向に平行な方向：記録面内方向に平行な方向）における位置が、録再用レーザ光の焦点を記録面内方向における所定位置に位置させる位置にあるときには、上記のように構成されたホログラムガイド層３が用いられることで、受光面上で得られるサーボ用レーザ光の回折光の像としては、情報記録層位置Ｌ１にトラックを有する反射膜が形成され且つサーボ用レーザ光の焦点が上記トラック上をトレースしている場合に得られる像と同様の像が得られることになる。つまり、上記受光面上の像で見れば、情報記録層位置Ｌ１にはあたかも図２（ａ）に示すような仮想トラックＶtr_l1が形成されていて、該仮想トラックＶtr_l1に対してサーボ用レーザ光の焦点がトレースしていることと等価な像が得られるものである。
【００４０】
また、図２（ｂ）に示す場合も同様に、対物レンズのトラッキング方向における位置が、録再用レーザ光の焦点を記録面内方向における所定位置に位置させる位置にあるときには、受光面上で得られるサーボ用レーザ光の回折光の像としては、あたかも情報記録層位置Ｌ５には仮想トラックＶtr_l5が形成されていて、該仮想トラックＶtr_l5に対してサーボ用レーザ光の焦点がトレースしていることと等価な像が得られることになる。
【００４１】
そして、仮に、トラッキング方向における対物レンズとバルク型記録媒体１の相対的な位置関係が変化して、対物レンズを介して照射されるレーザ光の焦点位置が上述の記録面内方向における所定位置からずれた場合には、受光面上で得られるサーボ用レーザ光の回折光の像としても、上記のトレース状態と等価な状態で得られる像からの変化が生じることとなる。つまり、上記受光面上にてサーボ用レーザ光の回折光を受光して得られるトラッキングエラー信号にも、上記トレース状態と等価な状態で得られる信号からの変化が生じるものである。
【００４２】
このようにして上述の構成によるホログラムガイド層３が設けられることで、装置側では、上記受光面上でサーボ用レーザ光の反射光を受光して得たトラッキングエラー信号から、録再用レーザ光の焦点が情報記録層位置Ｌ上の記録面内方向における所定位置（つまり仮想トラックＶtrの形成位置）をトレースしているか否かを知ることができる。従って、上記トラッキングエラー信号に基づいて、対物レンズのトラッキング方向における位置を制御することで、録再用レーザ光についてのトラッキングサーボ、具体的には録再用レーザ光の焦点を仮想トラックＶtrに追従させるトラッキングサーボを実現することができる。
【００４３】
［1-3．光記録媒体の製造方法例］
図３〜図６を参照して、上記により説明したバルク型記録媒体１の製造方法の例について説明する。
先ず、図３は、上記により説明したホログラムガイド層３を生成するにあって必要となる、マスターホログラムガイド層Ｈｍを生成するための工程の例を示している。
ここで、後の説明で明らかとなるように、本実施の形態では、バルク型記録媒体１の製造効率の向上のため、ホログラムガイド層３は、先ずマスターホログラムガイド層Ｈｍ（マスターとしてのホログラムガイド層３）を生成し、該マスターホログラムガイド層Ｈｍに形成された干渉縞をホログラム記録材料に転写することで生成するものとしている。  図３では先ず、このようなマスターホログラムガイド層Ｈｍの生成工程について説明する。
【００４４】
マスターホログラムガイド層Ｈｍの生成にあたっては、該マスターホログラムガイド層Ｈｍの元材料となるマスターホログラムガイド層材料Ｈｍ’と、図中に示すようなマスター作成用多層構造体４ｉとを用意する。
マスターホログラムガイド層材料Ｈｍ’としては、ホログラム記録材料を用意すればよい。このとき、マスターホログラムガイド層材料Ｈｍ’の厚さは、ホログラムガイド層３と同厚としておく。
【００４５】
マスター作成用多層構造体４ｉは、マスターホログラムガイド層材料Ｈｍ’に対し、先の図２において説明したようなマスターホログラムガイド層３としての機能を実現するための干渉縞を形成するために用いられる。
このマスター作成用多層構造体４ｉには、バルク層４に設定された各情報記録層位置Ｌ（この場合はＬ１〜Ｌ５）に対応した層位置に、それぞれトラックtrを有する反射膜が形成される。
【００４６】
ここで、この場合のマスター作成用多層構造体４ｉは、その厚さがバルク層４と同厚とされた上で、バルク層４における各情報記録層位置Ｌと一致する位置に、上記トラックtrを有する反射膜が形成される。
このとき、上記トラックtrとしては、ピット列又はグルーブがスパイラル状又は同心円状に形成されたものとなる。
【００４７】
マスター作成用多層構造体４ｉは、一般的な多層ディスクの製造方法と同様の方法で作成することができる。
一例を挙げておくと、先ず、マスター作成用多層構造体４ｉを生成するにあたっては、予めトラックtrを転写するためのスタンパを作成しておくことになる。
ここで、本例の場合、上記トラックtr上には、位置情報（絶対位置情報：ディスク上での回転角度位置を表す情報としての回転角度情報や、半径位置情報など）を記録しておく。例えばトラックtrをピット列で形成する場合には、ピットとランドの長さの組み合わせにより位置情報を記録する。或いは、トラックtrをグルーブで形成する場合は、該グルーブを蛇行（ウォブリング）させ、該蛇行の周期情報により位置情報を記録する。
【００４８】
このように生成したスタンパを用いて、先ずは、上記スタンパを用いた射出成形などにより、最下層のトラックtr_l5としての凹凸が転写された樹脂基板を生成する。そして、このようにトラックtr_l5が転写された基板に反射膜（半反射膜とする）を成膜した上で、例えば紫外線硬化樹脂をスピンコート法などで塗布した後、上記スタンパを押し当てた状態で紫外線照射を行って上記紫外線硬化樹脂を硬化させることで、トラックtr_l4としての凹凸が転写された樹脂層を上記基板上に形成する。さらに、このように形成された樹脂層に半反射膜を成膜する。
以降も同様に、紫外線硬化樹脂の塗布、スタンパを押し当てた状態での紫外線照射による硬化処理、半反射膜の成膜を繰り返すことで、残りのトラックtr_l3〜tr_l1の形成層を積層でき、最上部のtr_l1の半反射膜上に例えば紫外線硬化樹脂の塗布及び紫外線照射による硬化処理を行うことで、図中に示すマスター作成用多層構造体４ｉを生成できる。
【００４９】
マスターホログラムガイド層Ｈｍの生成は、マスター作成用多層構造体４ｉ上にマスターホログラムガイド層材料Ｈｍ’を載置・固定した状態で、図のようにそれぞれ対向する方向から参照光と物体光とを照射してマスターホログラムガイド層材料Ｈｍ’に干渉縞を形成することで行う。
具体的に、この場合の干渉縞の形成は、マスター作成用多層構造体４ｉに形成されたそれぞれの反射膜に対し、逐次、物体光と参照光とを合焦させて行う。
【００５０】
このとき注意すべきは、マスター作成用多層構造体とマスターホログラムガイド層材料Ｈｍ’とを、バルク型記録媒体１におけるバルク層４とホログラムガイド層３との位置関係と同じ位置関係となるように配置するという点である。
【００５１】
物体光がマスターホログラムガイド層材料Ｈｍ’に照射されるようにするためには、マスター作成用多層構造体４ｉの下層側に配置した対物レンズＯＬ-bを介してレーザ光の照射を行う。これにより、マスターホログラムガイド層材料Ｈｍ’の下層側から、トラックtrを有する反射膜からの像を反映した物体光を照射することができる。
また参照光は、上記物体光と対向する側、すなわちマスターホログラムガイド層材料Ｈｍ’の上層側から対物レンズＯＬ-rを介して照射する。
【００５２】
ここで重要なことは、上記参照光、及び上記物体光の波長は、サーボ用レーザ光と同波長とするという点である。なお且つ、参照光及び物体光としてはコヒーレントな光を用いるものとする。さらに、対物レンズＯＬ-r及び対物レンズＯＬ-bの開口数を、バルク型記録媒体１についての記録（又は再生）を行う光学ドライブ装置に設けられる対物レンズ（後述する対物レンズ１７）の開口数（参照光として機能するサーボ用レーザ光についての開口数）と同じとする。
参照光と物体光の波長をサーボ用レーザ光と同波長とするのは、マスターホログラムガイド層Ｈｍ（つまりホログラムガイド層３）に前述の波長選択性を持たせるためである。
また、対物レンズＯＬ-r及び対物レンズＯＬ-bの開口数を上記光学ドライブ装置に設けられる対物レンズの開口数と同じとするのは、バルク層４内に設定された複数の情報記録層位置Ｌの個々について、一の情報記録層位置Ｌに焦点が一致するように照射された光が入射したときに上記一の情報記録層位置Ｌに反射膜が形成されている場合に受光面上にて得られる像と同様の像を上記受光面上に形成することができるようにするためである。
【００５３】
図３（ａ）は、マスターホログラムガイド層材料Ｈｍ’に対し、情報記録層位置Ｌ１に対応する干渉縞を形成する場合の様子を示し、図３（ｂ）は、マスターホログラムガイド層材料Ｈｍ’に対し情報記録層位置Ｌ５に対応する干渉縞を形成する場合の様子を示している。
これら図３（ａ）（ｂ）を参照して分かるように、マスターホログラムガイド層材料Ｈｍ’に一の情報記録層位置Ｌに対応する干渉縞を形成する場合は、参照光と物体光とをマスター作成用多層構造体４ｉ内の上記一の情報記録層位置Ｌに対応する位置に形成された半反射膜に合焦させた状態とする。このような合焦状態は、上記一の情報記録層位置Ｌに対応する位置に形成された半反射膜を対象とした対物レンズＯＬ-r及び対物レンズＯＬ-bのフォーカスサーボ制御を行うことで実現できる。
そして、このような合焦状態とした上で、例えばマスターホログラムガイド層Ｈｍ’が固定されたマスター作成用多層構造体４ｉの位置を水平移動させるなどして、マスターホログラムガイド層材料Ｈｍ’に対する参照光及び物体光の混合光の照射位置を移動させ、該混合光がマスターホログラムガイド層材料Ｈｍ’の全面（或いは回折光を得る必要性のある必要領域内の全面）に照射されるようにする。これにより、マスターホログラムガイド層材料Ｈｍ’に上記一の情報記録層位置Ｌに対応した干渉縞を形成することができる。
【００５４】
このような一の情報記録層位置Ｌに対応する干渉縞の形成を、各情報記録層位置Ｌに対応する位置に形成された半反射膜を対象として逐次行うことで、先の図２を参照して説明した作用を得ることのできるマスターホログラムガイド層Ｈｍを生成することができる。
【００５５】
なお、上記による説明では、マスター作成用多層構造体４ｉはバルク層４と同厚としたが、必ずしも同厚とする必要性はない。
ここで、ホログラムガイド層３による回折作用として、バルク層４内に設定された複数の情報記録層位置Ｌの個々について、一の情報記録層位置Ｌに焦点が一致するように照射された光が入射したときに上記一の情報記録層位置Ｌに反射膜が形成されている場合に受光面上にて得られる像と同様の像を上記受光面上に形成することができるようにする作用を、深さ方向における選択回折作用と呼ぶこととすると、該深さ方向における選択回折作用を得るにあっては、以下の条件が満たされればよい。
すなわち、上記により説明したようなマスターホログラムガイド層Ｈｍの生成時におけるマスターホログラムガイド層材料Ｈｍ’の下層側面（裏面）を基準として、そこからトラックtr_l1を有する反射膜までの距離（深さ方向の距離）をＤ１、トラックtr_l2を有する反射膜までの距離をＤ２、トラックtr_l3を有する反射膜までの距離をＤ３、トラックtr_l4を有する反射膜までの距離をＤ４、トラックtr_l5を有する反射膜までの距離をＤ５とし、またバルク型記録媒体１におけるホログラムガイド層３の下層側面を基準としてそこから情報記録層位置Ｌ１までの間の距離をＤv１、情報記録層位置Ｌ２までの距離をＤv２、情報記録層位置Ｌ３までの距離をＤv３、情報記録層位置Ｌ４までの距離をＤv４、情報記録層位置Ｌ５までの距離をＤv５としたとき、Ｄ１＝Ｄv１，Ｄ２＝Ｄv２，Ｄ３＝Ｄv３，Ｄ４＝Ｄv４，Ｄ５＝Ｄv５であればよい。
従って、マスター作成用多層構造体４ｉの厚さは、必ずしもバルク層４の厚さと同じである必要性はない。
【００５６】
図４は、上記のようにして生成したマスターホログラムガイド層Ｈｍを用いたバルク型記録媒体１の製造方法の具体例について説明するための図である。
この場合の製造方法では、先ずは図４（ａ）に示すように、基板５上にバルク層４を積層する。先に説明したように、基板５としては例えばポリカーボネートやアクリルなどの樹脂で生成する。バルク層４に関しては、本例の場合のようにボイド記録方式によるマーク記録を行う場合に対応しては、前述した特許文献２に例示されるフォトポリマ以外にも、樹脂を用いることができる。
【００５７】
基板５上にバルク層４を積層した後は、図４（ｂ）に示すように、ホログラムガイド層材料３’としての、ホログラム記録材料で構成される層を積層する。本例の場合、ホログラム記録材料としては例えばフォトポリマーを用いる。
【００５８】
その上で、このように積層されたホログラムガイド層材料３’に対しては、マスターホログラムガイド層Ｈｍを用いた干渉縞の転写、及び干渉縞転写後のポストキュアを行う（図４（ｃ））。
【００５９】
ここで、ホログラムガイド層材料３’に対する干渉縞の転写は、図５に示すように、ホログラムガイド層材料Ｈｍの上層側にマスターホログラムガイド層Ｈｍを載置・固定した状態で、上記マスターホログラムガイド層Ｈｍの上層側から平行光を照射することで行う。
このとき、上記平行光の照射は、マスターホログラムガイド層Ｈｍの全面にわたって行う。また上記平行光の波長は、サーボ用レーザ光の波長と同波長とする。
このような平行光の照射により、マスターホログラムガイド層Ｈｍにて回折された光が物体光（信号光）として、またマスターホログラムガイド層Ｈｍを透過した光が参照光としてホログラムガイド層材料３’に照射されるようにでき、これによってマスターホログラムガイド層Ｈｍに形成された干渉縞と同様の干渉縞をホログラムガイド層材料３’に形成（つまり転写）することができる。
【００６０】
干渉縞が転写された後のホログラムガイド層材料３’に対しては、図６に示すようにポストキュア処理を施す。ポストキュア処理は、例えばＬＥＤ（Light Emitting Diode）を光源とする光などインコヒーレントな光をホログラムガイド層材料３’に照射することで行う。
周知のように、フォトポリマーなどのホログラム記録材料においては、光照射に応じてポリマーがモノマー化することで干渉縞が形成される。上記のように干渉縞転写後のホログラムガイド層材料３’にインコヒーレントな光を照射すると、ホログラムガイド層材料３’内における残留ポリマーを全て反応させることができ、以降におけるポリマー化、すなわち不要な干渉縞の形成を防止できる。この結果、転写された干渉縞を、転写されたままの形態で定着させることができる。
このようにポストキュアを行ってマスターホログラムガイド層Ｈｍから転写された干渉縞を定着させることで、ホログラムガイド層３が完成する。
【００６１】
上記のような干渉縞の転写とポストキュアとを行った後は、図４（ｄ）に示すように、ホログラムガイド層３の上層側にカバー層２を積層する。これにより、本実施の形態としてのバルク型記録媒体１が生成される。
【００６２】
［1-4．光学ドライブ装置の構成とサーボ制御手法］
図７は、バルク型記録媒体１に対応して記録再生を行う、第１の実施の形態としての光学ドライブ装置（以下、記録再生装置１０とする）の内部構成を示している。
図７において、バルク型記録媒体１は、記録再生装置１０における所定位置においてそのセンターホールがクランプされるようにしてセットされ、図示は省略したスピンドルモータによる回転駆動が可能な状態に保持される。
図中の光学ピックアップＯＰ１は、上記スピンドルモータにより回転駆動されるバルク型記録媒体１に対して録再用レーザ光、サーボ用レーザ光を照射するために設けられる。
【００６３】
光学ピックアップＯＰ１内には、マークによる情報記録、及びマークにより記録された情報の再生を行うための録再用レーザ光の光源である録再用レーザ１１と、ホログラムガイド層３からの回折光（反射光）を利用した位置制御を行うための光であるサーボ用レーザ光の光源であるサーボ用レーザ２１とが設けられる。
ここで、前述したように本例の場合、録再用レーザ光の波長はおよそ４０５ｎｍ程度、サーボ用レーザ光の波長はおよそ６４０ｎｍ程度である。
【００６４】
また、光学ピックアップＯＰ１内には、録再用レーザ光とサーボ用レーザ光のバルク型記録媒体１への出力端となる対物レンズ１７が設けられる。  
この場合、対物レンズ１７の開口数は、録再用レーザ光についての実効的な開口数が０．８５程度、サーボ用レーザ光についての実効的な開口数は０．６５程度とされる。
また、本実施の形態で重要であるのでは、対物レンズ１７に対して録再用レーザ光とサーボ用レーザ光とを図のように平行光で入射させるように光学系が設計され、且つ、このように平行光で対物レンズ１７に入射する録再用レーザ光とサーボ用レーザ光とが同位置に焦点を結ぶように対物レンズ１７が設計されているという点である。
【００６５】
そして、光学ピックアップＯＰ１内においては、録再用レーザ１１より出射された録再用レーザ光を対物レンズ１７に導くと共に、対物レンズ１７に入射した上記バルク型記録媒体１からの録再用レーザ光の反射光を図中の録再光用受光部２０に導くための光学系が形成される。
【００６６】
具体的に、上記録再用レーザ１１より出射された録再用レーザ光は、コリメートレンズ１２を介して平行光となるようにされた後、偏光ビームスプリッタ１３に入射する。
偏光ビームスプリッタ１３は、このように録再用レーザ１１側から入射した録再用レーザ光は透過するように構成される。
【００６７】
偏光ビームスプリッタ１３を透過した録再用レーザ光は、図中のミラー１４によりその光軸が９０°折り曲げられるようにして反射された後、１／４波長板１５を介して、ダイクロイックプリズム１６に入射する。ダイクロイックプリズム１６は、その選択反射面が、録再用レーザ光と同波長帯の光は透過し、それ以外の波長による光は反射するように構成されている。従って上記のようにして入射した録再用レーザ光は、ダイクロイックプリズム１６を透過する。
【００６８】
ダイクロイックプリズム１６を透過した録再用レーザ光は、図示するようにして対物レンズ１７を介してバルク型記録媒体１に対して照射される。
対物レンズ１７に対しては、当該対物レンズ１７をフォーカス方向及びトラッキング方向に変位可能に保持する２軸アクチュエータ１８が設けられる。
２軸アクチュエータ１８には、フォーカスコイル、トラッキングコイルが備えられ、それぞれに駆動信号（後述する駆動信号ＦＤ、ＴＤ）が与えられることで、対物レンズ１７をフォーカス方向、トラッキング方向にそれぞれ変位させる。
【００６９】
ここで、再生時においては、上記のようにしてバルク型記録媒体１に対して録再用レーザ光が照射されることに応じて、バルク型記録媒体１（バルク層４内の再生対象の情報記録層位置Ｌに記録されたマーク列）より上記録再用レーザ光の反射光が得られる。このように得られた録再用レーザ光の反射光は、対物レンズ１７を介してダイクロイックプリズム１６に導かれ、当該ダイクロイックプリズム１６を透過する。
ダイクロイックプリズム１６を透過した録再用レーザ光の反射光は、１／４波長板１５→ミラー１４を介した後、偏光ビームスプリッタ１３に入射する。
【００７０】
ここで、このように偏光ビームスプリッタ１３に入射する録再用レーザ光の反射光（復路光）は、１／４波長板１５による作用とバルク型記録媒体１での反射時の作用とにより、録再用レーザ光１１側から偏光ビームスプリッタ１３に入射した録再用レーザ光（往路光）とはその偏光方向が９０度異なるようにされる。この結果、上記のようにして入射した録再用レーザ光の反射光は、偏光ビームスプリッタ１３にて反射される。
【００７１】
このように偏光ビームスプリッタ１３にて反射された録再用レーザ光の反射光は、集光レンズ１９を介して、録再光用受光部２０の受光面上に集光する。
【００７２】
また、光学ピックアップＯＰ１内には、上記により説明した録再用レーザ光についての光学系の構成に加えて、サーボ用レーザ２１より出射されたサーボ用レーザ光を対物レンズ１７に導き且つ、対物レンズ１７に入射したバルク型記録媒体１からのサーボ用レーザ光の反射光（ホログラムガイド層３からの回折光）を図中のサーボ光用受光部２７に導くための光学系が形成される。
図示するようにサーボ用レーザ２１より出射されたサーボ用レーザ光は、コリメートレンズ２２を介して平行光となるようにされた後、偏光ビームスプリッタ２３に入射する。偏光ビームスプリッタ２３は、このようにサーボ用レーザ２１側から入射したサーボ用レーザ光（往路光）は透過するように構成される。
【００７３】
偏光ビームスプリッタ２３を透過したサーボ用レーザ光は、１／４波長板２４を介してダイクロイックプリズム１６に入射する。
先に述べたように、ダイクロイックプリズム１６は録再用レーザ光と同波長帯の光は透過しそれ以外の波長による光は反射するように構成されているため、上記サーボ用レーザ光はダイクロイックプリズム１６にて反射され、図のように対物レンズ１７を介してバルク型記録媒体１に照射される。
【００７４】
また、このようにバルク型記録媒体１にサーボ用レーザ光が照射されたことに応じて得られる当該サーボ用レーザ光の反射光は、対物レンズ１７を介した後ダイクロイックプリズム１６にて反射され、１／４波長板２４を介して偏光ビームスプリッタ２３に入射する。
先の録再用レーザ光の場合と同様にして、このようにバルク型記録媒体１側から入射したサーボ用レーザ光の反射光（復路光）は、１／４波長板２４の作用とバルク型記録媒体１での反射時の作用とにより、往路光とはその偏光方向が９０度異なるものとされ、従って復路光としてのサーボ用レーザ光の反射光は偏光ビームスプリッタ２３にて反射される。
【００７５】
偏光ビームスプリッタ２３にて反射されたサーボ用レーザ光の反射光は、集光レンズ２５を介した後、シリンドリカルレンズ２６で非点収差が与えられた上で、サーボ光用受光部２９の受光面上に集光する。
【００７６】
ここで、図示による説明は省略するが、実際において記録再生装置１０には、上記により説明した光学ピックアップＯＰ１全体をトラッキング方向にスライド駆動するスライド駆動部が設けられ、当該スライド駆動部による光学ピックアップＯＰ１の駆動により、レーザ光の照射位置を広範囲に変位させることができるようにされている。
【００７７】
また、記録再生装置１０には、上記光学ピックアップＯＰ１に加えて、バルク層４を対象とした記録／再生や、マーク記録／再生時における対物レンズ１７のフォーカス／トラッキング制御を行うための信号処理系の構成として、図中の記録処理部２８、録再光用信号生成回路２９、再生処理部３０、サーボ光用信号生成回路３１、位置情報検出部３２、及びサーボ回路３３が設けられている。
【００７８】
記録処理部２８には、バルク型記録媒体１に対して記録すべきデータ（記録データ）が入力される。記録処理部２８は、入力された記録データに対してエラー訂正符号の付加や所定の記録変調符号化を施すなどして、バルク型記録媒体１に実際に記録される例えば「０」「１」の２値データ列である記録変調データ列を得る。
記録処理部２８は、このように生成した記録変調データ列に基づく記録パルスＲｃｐにより、光学ピックアップＯＰ１内の録再用レーザ１１の発光駆動を行う。
【００７９】
録再光用信号生成回路２９は、光学ピックアップＯＰ１内の録再光用受光部２０としての複数の受光素子からの受光信号ＤＴ-rp（出力電流）に対応して電流電圧変換回路、増幅回路等を備え、必要な信号を生成する。具体的にこの場合は、上述した記録変調データ列を再生した再生信号に相当する高周波信号（以降、再生信号ＲＦと称する）を生成する。
録再光用信号生成回路２９にて生成された上記再生信号ＲＦは、再生処理部３０に供給される。
【００８０】
再生処理部３０は、上記再生信号ＲＦについて、２値化処理や記録変調符号の復号化・エラー訂正処理など、上述した記録データを復元するための再生処理を行い、上記記録データを再生した再生データを得る。
【００８１】
また、サーボ用レーザ光の反射光についての信号処理系において、サーボ光用信号生成回路３１は、光学ピックアップＯＰ１内のサーボ光用受光部２７における複数の受光素子からの受光信号ＤＴ-svに基づき、必要な信号を生成する。
具体的にサーボ光用信号生成回路３１は、フォーカス／トラッキングの各サーボ制御のためのフォーカスエラー信号ＦＥ、トラッキングエラー信号ＴＥを生成する。ここで本実施の形態において、上記フォーカスエラー信号ＦＥとしては、非点収差法によるフォーカスエラー信号を生成する。
また、サーボ光用信号生成回路３１は、前述の仮想トラックＶtr（図３のトラックtrと等価）に記録された絶対位置情報の検出を行うための位置情報検出用信号Ｄｐｓを生成する。例えば絶対位置情報がピット列により記録される場合、位置情報検出用信号Ｄｐｓとしては和信号を生成する。或いは、ウォブリンググルーブにより絶対位置情報が記録される場合、位置情報検出用信号Ｄｐｓとしてはプッシュプル信号を生成する。
【００８２】
上記位置情報検出用信号Ｄｐｓは、位置情報検出部３２に供給される。位置情報検出部３２は、上記位置情報検出用信号Ｄｐｓに基づき仮想トラックＶtrに記録された絶対位置情報を検出する。検出された絶対位置情報はコントローラ３６に対して供給される。
ここで、このように仮想トラックＶtrに記録された絶対位置情報の検出結果については、絶対位置情報ＰＳと表記する。
【００８３】
また、サーボ光用信号生成回路３１にて生成されたフォーカスエラー信号ＦＥ、トラッキングエラー信号ＴＥは、サーボ回路３３に対して供給される。
サーボ回路３３は、フォーカスエラー信号ＦＥ、トラッキングエラー信号ＴＥに基づきフォーカスサーボ信号ＦＳ、トラッキングサーボ信号ＴＳをそれぞれ生成する。そして、フォーカスサーボ信号ＦＳをフォーカスドライバ３４に出力し、トラッキングサーボ信号ＴＳをトラッキングドライバ３５に出力する。
フォーカスドライバ３４は上記フォーカスサーボ信号ＦＳに基づき生成したフォーカス駆動信号ＦＤにより、先に述べた２軸アクチュエータ１８のフォーカスコイルを駆動する。またトラッキングドライバ３５は上記トラッキングサーボ信号ＴＳに基づき生成したトラッキング駆動信号ＴＤにより２軸アクチュエータ１８のトラッキングコイルを駆動する。
これにより、対物レンズのフォーカスサーボ制御及びトラッキングサーボ制御が実現される。
【００８４】
また、サーボ回路３３は、コントローラ３６から為される指示に応じて、トラッキングサーボループをオフとしてトラッキングドライバ３５にジャンプパルスを与えることでトラックジャンプ動作を実現したり、またトラッキングサーボの引き込み制御等も行う。
【００８５】
また、サーボ回路３３は、コントローラ３６からの指示に応じ、バルク層４内の対象とする情報記録層位置Ｌに対するフォーカスサーボの引き込み制御も行う。
なお、このような所望の情報記録層位置Ｌに対するフォーカスサーボの引き込み手法については以下で改めて説明する。
【００８６】
コントローラ３６は、例えばＣＰＵ（Central Processing Unit）やＲＯＭ（Read Only Memory）、ＲＡＭ（Random Access Memory）などのメモリ（記憶装置）を備えたマイクロコンピュータで構成され、例えば上記ＲＯＭ等に記憶されたプログラムに従った制御・処理を実行することで、記録再生装置１０の全体制御を行う。
具体的にコントローラ３６は、サーボ回路３３に対するシーク動作制御を行う。すなわち、位置情報検出部３２より供給される絶対位置情報ＰＳに基づき、録再用レーザ光の焦点位置を仮想トラックＶtr上における所定の位置に移動させるようにサーボ回路３３に対する指示を行う。
【００８７】
またコントローラ３６は、サーボ回路３３に対してマークの記録又は再生対象とする情報記録層位置Ｌを指示して、該対象とする情報記録層位置Ｌへのフォーカスサーボ引き込みを実行させる。
【００８８】
ここで、次の図８及び図９を参照して、ホログラムガイド層３を有するバルク型記録媒体１を用いた場合における、所望の情報記録層位置Ｌへのフォーカスサーボの引き込み手法について説明しておく。
図８は、フォーカスサーチ動作として、対物レンズ１７を例えばバルク型記録媒体１に近づける方向に駆動した場合に得られるＰｕｌｌ Ｉｎ信号（和信号）の波形（図８（ａ））、フォーカスエラー信号ＦＥの波形（図８（ｂ））を示している。またこれと共に、比較として、同様のフォーカスサーチ動作を通常の多層構造（つまり反射膜付きの多層構造）を有する光ディスクに対して行った場合におけるＰｕｌｌ Ｉｎ信号の波形（図８（ｃ））を示している。
なおこの図では、情報記録層位置Ｌの設定数を８以上とした場合のバルク型記録媒体１にフォーカスサーチを行った例を示している。
【００８９】
図８（ａ）を参照して分かるように、ホログラムガイド層３が形成されたバルク型記録媒体１にフォーカスサーチを行った場合、Ｐｕｌｌ Ｉｎ信号としては、対物レンズ１７を介して照射される録再用レーザ光の焦点が情報記録層位置Ｌと一致するごとにそのピークレベルを迎え、また録再用レーザ光の焦点が情報記録層位置Ｌから徐々に離間することに応じてレベルが減少するものとなる。
これは、上記のように録再用レーザ光の焦点が情報記録層位置Ｌと一致する（すなわちホログラムガイド層３に対しサーボ用レーザ光が、その焦点が情報記録層位置Ｌに一致するようにして入射する）状態では、サーボ光用受光部２７の受光面上において上記情報記録層位置Ｌに反射膜が形成され該反射膜にサーボ用レーザ光が合焦しているときと同様の像が得られるようにホログラムガイド層３が形成されていることによる。
【００９０】
そして、このようなホログラムガイド層３による作用により、フォーカスエラー信号ＦＥとしては、図８（ｂ）に示すように録再用レーザ光の焦点が情報記録層位置Ｌに一致するごとに、Ｓ字波形のゼロクロス点が得られるものとなる。
【００９１】
なお、通常多層の場合、Ｐｕｌｌ Ｉｎ信号としては、図８（ｃ）に示すように最上部に形成された反射膜（記録膜）を通過した以降、ほぼ一定のレベルを保つものと考えられる。これは、反射膜付きの通常多層ディスクでは、各反射膜の形成間隔にもよるが、層間クロストークの発生によってＰｕｌｌ Ｉｎ信号レベルが落ちないためである。
【００９２】
この図８を参照をして分かるように、バルク型記録媒体１を対象とする場合も、フォーカスサーチ動作中に得られるフォーカスエラー信号ＦＥとしては現状の光ディスクの場合と同様の波形が得られる。
また、Ｐｕｌｌ Ｉｎ信号に関しても、上述のような層間クロストークが未発生とされる場合（つまり層数が少なく反射膜の形成間隔に余裕がある場合など）には、現状の光ディスクの場合と同様の波形が得られる。
これらの点より、バルク型記録媒体１を対象とした記録再生を行う場合であっても、フォーカスサーボの引き込みとしては、フォーカスエラー信号ＦＥやＰｕｌｌ Ｉｎ信号を用いて、現状の光ディスクシステムの場合と同様の手法で行うことができる。
【００９３】
図９は、バルク型記録媒体１を対象とする場合のフォーカスサーボ引き込みの具体的な手法の一例について説明するための図である。
なお図９では一例として、情報記録層位置Ｌ２を対象としてフォーカスサーボ引き込みを行う場合のフォーカスエラー信号ＦＥの波形（図９（ａ））及びＰｕｌｌ Ｉｎ信号の波形（図９（ｂ））をそれぞれ示している。
【００９４】
上記のようにバルク型記録媒体１を用いた場合にも、現状の光ディスクシステムの場合と同様に、フォーカスサーチ動作中のＰｕｌｌ Ｉｎ信号のピークの数やフォーカスエラー信号ＦＥのゼロクロス点の数をカウントすることで、対物レンズ１７を介して照射される光の焦点が何れの層位置にあるかを把握することができる。従って、現状の光ディスクシステムの場合と同様に、フォーカスサーチ中のＰｕｌｌ Ｉｎ信号及び／又はフォーカスエラー信号ＦＥから現在の焦点位置を把握し、焦点位置が対象とする情報記録層位置Ｌについての引き込み可能範囲内に位置したとされるタイミングで、フォーカスサーボループをオンとしてサーボ引き込みを行う。
これにより、対象とする任意の情報記録層位置Ｌに対してフォーカスサーボをかけることができる。
【００９５】
ここで、上記により説明した第１の実施の形態としての記録再生装置１０では、バルク型記録媒体１を対象としてフォーカス（及びトラッキング）サーボをかけるにあたり、録再用レーザ光とは別途にサーボ用レーザ光を照射するものとしている。つまりこれに対応してバルク型記録媒体１としては、ホログラムガイド層３を、サーボ用レーザ光に対してのみ回折光が得られるように構成している。
このような構成とすることによっては、録再用レーザ光は、ホログラムガイド層３にて回折しなくなり、その結果、レーザパワー（記録パワー及び再生パワー）を必要以上に上げる必要がないものとできる。
【００９６】
また、記録再生装置１０では、ダイクロイックプリズム１６を設けて、録再用レーザ光の反射光とサーボ用レーザ光の反射光がそれぞれの検出系に分離して導かれるようにしている。つまりこのことで、再生時における録再用レーザ光の記録済みマーク列からの反射光が、サーボ用レーザ光の反射光の検出系に漏れ込むことの防止が図られ、サーボ制御や絶対位置情報ＰＳの検出が適正に行われるように図られている。
しかしながら、現状においてダイクロイックプリズム１６としては、例えば製造コストなどの問題から完全な波長選択性を有するものを設けることが非常に困難とされる。つまりこれにより、実際にはサーボ用レーザ光の検出系に録再用レーザ光の反射光が漏れ込む可能性がある。このとき、ホログラムガイド層３における回折効率は良好でも１％以下であり、マーク（ボイド）の反射率はこれを上回る数％程度となる。従って、上記のような録再用レーザ光の漏れ込みが無視できなくなる可能性がある。
そこで実際には、録再用レーザ光の焦点位置とサーボ用レーザ光の焦点位置（こちらは正確には「集光されるべき位置」となる）を僅かにずらすように、光学系を設計してもよい。ずらす方向については、フォーカス方向、トラッキング方向、タンジェンシャル方向の何れとしてもよい。フォーカス方向にずらす場合、フォーカスサーボの引き込み範囲である数μｍ程度離す必要がある。また、トラッキング方向、タンジェンシャル方向については、１トラック分以上（例えば０．６μｍ以上）離すものとすればよい。
これらのうち、タンジェンシャル方向にずらすことが適正なフォーカスサーボ・トラッキングサーボを実現する上で最も望ましい。
【００９７】
＜２．第２の実施の形態＞
続いて、第２の実施の形態について説明する。
第２の実施の形態は、第１の実施の形態の記録再生装置１０とは異なる記録再生装置４０によりバルク型記録媒体１に対する記録再生を行うものである。
【００９８】
図１０は、第２の実施の形態としての記録再生装置４０の内部構成を示している。
なお図１０において、既に第１の実施の形態で説明済みとなった部分については同一符号を付して説明を省略する。
【００９９】
ここで、第１の実施の形態の記録再生装置１０では、記録時と再生時の双方で、サーボ用レーザ光のホログラムガイド層３からの回折光を利用したフォーカスサーボ、トラッキングサーボ、及び位置情報の検出を行うものとしたが、第２の実施の形態の記録再生装置４０は、記録時は第１の実施の形態の場合と同様にホログラムガイド層３からの回折光に基づきサーボ制御及び位置情報の検出を行うが、再生時には、録再用レーザ光の記録済みマーク列からの反射光に基づいてサーボ制御及び位置情報の検出を行う。
【０１００】
先ず、図中の光学ピックアップＯＰ２について説明する。
記録再生装置４０が備える光学ピックアップＯＰ２は、先の光学ピックアップＯＰ１と比較して、録再用レーザ光の光学系内に非点収差法によるフォーカスエラー信号の生成を可能とするためのシリンドリカルレンズ４１を追加した点が異なる。
このシリンドリカルレンズ４１は、集光レンズ１９と録再光用受光部２０との間に挿入される。
【０１０１】
また、記録再生装置４０には、記録再生装置１０と比較して、先の図７に示した記録処理部２８に代えて記録処理部４２が、また録再光用信号生成回路２９に代えて録再光用信号生成回路４３が、またサーボ回路４６に代えてサーボ光用サーボ回路４６が、またコントローラ３６に代えてコントローラ４７が設けられる。
さらに記録再生装置４０には、アドレス検出部４４、録再光用サーボ回路４５が新たに追加される。
【０１０２】
先ず、記録処理部４２は、入力される記録データに対する記録変調符号化処理や記録パルスＲｐｃによる録再用レーザ１１の発光駆動を行う点は先の記録処理部２８と同様となるが、記録処理部４２ではさらに、記録データ中にアドレス情報を埋め込む処理を行う。
【０１０３】
ここで、前述のように第２の実施の形態では、再生時にはホログラムガイド層３からのサーボ用レーザ光の回折光を利用したサーボ制御や位置情報の検出は行わず、録再用レーザ光の記録済みマーク列からの反射光を利用してサーボ制御・位置情報の検出を行うものである。そこで、上記のように記録処理部４２により記録データ中にアドレス情報を埋め込む、すなわちマーク列にアドレス情報を埋め込んでおくことで、再生時における位置情報の検出が可能となるようにしている。
【０１０４】
また、録再光用信号生成回路４３は、録再光用受光部２０としての複数の受光素子からの受光信号Ｄ-rpに基づき再生信号ＲＦを生成すると共に、この場合はフォーカスエラー信号ＦＥ、及びトラッキングエラー信号ＴＥも生成する。
ここで、このように録再光用信号生成回路４３にて生成されるフォーカスエラー信号ＦＥ、トラッキングエラー信号ＴＥに関しては、サーボ光用信号生成回路３１にて生成されるフォーカスエラー信号ＦＥ、トラッキングエラー信号ＴＥと区別するためにその符号をそれぞれＦＥ-rp、ＴＥ-rpとする。
また同時に、サーボ光用信号生成回路３１にて生成されるフォーカスエラー信号ＦＥ、トラッキングエラー信号ＴＥについてはその符号をそれぞれＦＥ-sv、ＴＥ-svとする。
【０１０５】
録再光用信号生成回路４３にて生成された再生信号ＲＦはこの場合も再生処理部３０に対して供給され、これにより再生データが得られる。
そして、この場合の再生データは、アドレス検出部４４に対して入力される。
アドレス検出部４４は、上記再生データ内に埋め込まれたアドレス情報を検出する。アドレス検出部４４による検出結果として得られたアドレス情報についてはアドレス情報Ａｄとする。
図示するようにアドレス情報Ａｄはコントローラ４７に対して供給される。
【０１０６】
また、録再光用信号生成回路４３にて生成されたフォーカスエラー信号ＦＥ-rp、トラッキングエラー信号ＴＥ-rpは、録再光用サーボ回路４５に対して供給される。
録再光用サーボ回路４５は、フォーカスエラー信号ＦＥ-rp、トラッキングエラー信号ＴＥ-rpに基づきそれぞれフォーカスサーボ信号ＦＳ-rp、トラッキングサーボ信号ＴＳ-rpを生成する。そして、フォーカスサーボ信号ＦＳ-rpをフォーカスドライバ３４に出力し、トラッキングサーボ信号ＴＳ-rpをトラッキングドライバ３５に出力する。
これにより、再生時における（録再用レーザ光の反射光に基づく）フォーカスサーボループ、及びトラッキングサーボループが形成される。
【０１０７】
また、録再光用サーボ回路４５は、コントローラ４７から再生時に対応して為される指示に応じて、トラッキングサーボループをオフとしてトラッキングドライバ３５にジャンプパルスを与えることでトラックジャンプ動作を実現したり、またトラッキングサーボの引き込み制御（対記録済みマーク列）等も行う。
また、録再光用サーボ回路４５は、再生時に対応してコントローラ４７から為される指示に応じ、バルク層４内の対象とする情報記録層位置Ｌに形成されたマーク列に対するフォーカスサーボの引き込み制御も行う。
【０１０８】
またこの場合、サーボ光用信号生成回路３１にて生成されたフォーカスエラー信号ＦＥ-sv、トラッキングエラー信号ＴＥ-svは、サーボ光用サーボ回路４６に対して供給される。
サーボ光用サーボ回路４６は、フォーカスエラー信号ＦＥ-sv、トラッキングエラー信号ＴＥ-svに基づきそれぞれフォーカスサーボ信号ＦＳ-sv、トラッキングサーボ信号ＴＳ-svを生成し、フォーカスサーボ信号ＦＳ-svをフォーカスドライバ３４に出力し、トラッキングサーボ信号ＴＳ-svをトラッキングドライバ３５に出力する。
これにより、記録時における（サーボ用レーザ光のホログラムガイド層３からの回折光に基づく）フォーカスサーボループ、及びトラッキングサーボループが形成される。
【０１０９】
また、サーボ光用サーボ回路４６は、コントローラ４７から記録時に対応して為される指示に応じて、トラッキングサーボループをオフとしてトラッキングドライバ３５にジャンプパルスを与えることでトラックジャンプ動作を実現したり、またトラッキングサーボの引き込み制御（対仮想トラックＶtr）等も行う。
また、サーボ光用サーボ回路４６は、記録時に対応してコントローラ４７から為される指示に応じ、バルク層４内の対象とする情報記録層位置Ｌに対するフォーカスサーボの引き込み制御も行う。
なお、フォーカスサーボの引き込み手法はこの場合も第１の実施の形態で説明したものと同様でよいことは言うまでもない。
【０１１０】
コントローラ４７は、先のコントローラ３６と比較して、以下で説明する記録時と再生時とでのサーボ切り替え制御をさらに行うようにされる。
つまりコントローラ４７は、上記サーボ切り替え制御として、記録時には、サーボ光用サーボ回路４６に対してフォーカスサーボ信号ＦＳ-sv、トラッキングサーボ信号ＴＳ-svの生成・出力を指示し、また録再光用サーボ回路４５にはフォーカスサーボ信号ＦＳ-rp、トラッキングサーボ信号ＴＳ-rpの生成・出力を行わないように指示を行う。
一方、再生時には、録再光用サーボ回路４５に対してフォーカスサーボ信号ＦＳ-rp、トラッキングサーボ信号ＴＳ-rpの生成・出力を指示し、サーボ光用サーボ回路４６に対しては、フォーカスサーボ信号ＦＳ-sv、トラッキングサーボ信号ＴＳ-svの生成・出力は行わないように指示を行う。
【０１１１】
またコントローラ４７は、記録時には位置情報検出部３２より供給される絶対位置情報ＰＳに基づきサーボ光用サーボ回路４６に対するシーク動作制御を行い、再生時には、アドレス検出部４４より供給されるアドレス情報Ａｄに基づき録再光用サーボ回路４５に対するシーク動作制御を行う。
【０１１２】
上記により説明した記録再生装置４０によれば、再生時において、録再光用レーザ光の記録済みマーク列からの反射光に基づいて記録済みマーク列に対して直接的にサーボをかけることができるので、その分、再生時におけるサーボ制御精度の向上が図られる。
また、このように再生時におけるサーボ制御・位置情報の検出は録再用レーザ光を用いて行うことができるので、再生時にはサーボ用レーザ２１を消灯することができる。これにより、例えば消費電力の面などで有利とすることができる。
【０１１３】
＜３．第３の実施の形態＞
図１１は、第３の実施の形態の光学ドライブ装置としての記録再生装置５０の内部構成を示している。
なお、この図１１においてもこれまでで説明済みとなった部分と同様となる部分については同一符号を付して説明を省略する。
【０１１４】
第３の実施の形態は、サーボ用レーザ光を別途照射するものとはせず、録再用レーザ光の照射のみでマークの記録再生及びサーボ制御・位置情報の検出を行うものである。
【０１１５】
ここで、このように録再用レーザ光のみを照射する第３の実施の形態では、先の第１及び第２の実施の形態で用いていたバルク型記録媒体１、すなわちホログラムガイド層３がサーボ用レーザ光のみを選択的に回折するように構成されたバルク型記録媒体１を用いたのでは、ホログラムガイド層３からの録再用レーザ光の回折光が得られず、従って記録時におけるサーボ制御や位置情報の検出を行うことができない。
そこで、第３の実施の形態では、録再用レーザ光を回折するように構成したホログラムガイド層３を有するバルク型記録媒体（以下、バルク型記録媒体１’とする）を用いる。
このように録再用レーザ光を回折するホログラムガイド層３としては、先の図３に示したマスターホログラムガイド層Ｈｍの生成時に照射する物体光や信号光、及び図５に示した転写時に照射する平行光として、録再用レーザ光と同波長のレーザ光を用いることで生成できる。
【０１１６】
なお確認のため述べておくと、このように録再用レーザ光を回折するホログラムガイド層３を用いたとしても、当該ホログラムガイド層３を透過する録再用レーザ光の０次光成分がバルク層４に到達することになる。つまりこれによりバルク層４に対する記録再生を行うことができる。
【０１１７】
上記の前提を踏まえて、図１１に示す記録再生装置５０について説明する。
先ずこの場合は、先の第２の実施の形態の記録再生装置４０が備えていた光学ピックアップＯＰ２からサーボ用レーザ光の光学系及びダイクロイックプリズム１６が省略された光学ピックアップＯＰ３が設けられる。サーボ用レーザ光の光学系とは、［サーボ用レーザ２１、コリメートレンズ２２、偏光ビームスプリッタ２３、１／４波長板２４、集光レンズ２５、シリンドリカルレンズ２６、サーボ光用受光部２７］を指す。
【０１１８】
また、記録再生装置５０では、先の記録再生装置４０が備えていたサーボ光用信号生成回路３１、サーボ光用サーボ回路４６が省略された上で、録再光用信号生成回路４３に代えて信号生成回路５１が、また録再光用サーボ回路４５に代えてサーボ回路５２が、またコントローラ４７に代えてコントローラ５３が設けられる。
【０１１９】
信号生成回路５１は、光学ピックアップＯＰ３内の録再光用受光部２０からの受光信号ＤＴ-rpに基づき、位置情報検出用信号Ｄｐｓ、再生信号ＲＦ、フォーカスエラー信号ＦＥ-rp、及びトラッキングエラー信号ＴＥ-rpを生成する。
【０１２０】
ここで、記録時には、バルク層４内には未だマークが記録されていないため、フォーカスエラー信号ＦＥ-rp、トラッキングエラーＴＥ-rpとしては、それぞれホログラムガイド層３からの回折光に基づくものが生成されることになる。
一方で、再生時には、録再光用受光部２０には、記録済みマーク列からの反射光成分が受光される。このとき、前述のようにホログラムガイド層３における回折効率は１％以下、マークの反射率は数％程度であるとすると、再生時に録再光用受光部２０で受光される反射光成分としては、マーク列からの反射光成分が支配的となる。このため、再生時においては、フォーカスエラーＦＥ-rp、トラッキングエラー信号ＴＥ-rpとしてそれぞれ記録済みマーク列からの反射光に基づくものが生成されることになる。
【０１２１】
また、位置情報検出用信号Ｄｐｓとしては、上記のような「ホログラムガイド層３の回折効率＜＜マーク反射率」の関係より、再生時に生成される位置情報検出信号Ｄｐｓには記録済みマーク列からの反射光による大きなノイズが重畳するものとなり、従ってこれを用いた正確な位置情報検出は非常に困難となる。
このことから、第３の実施の形態としても、再生時における位置情報に関しては、記録時に記録データに対して埋め込んだアドレス情報を検出し、その検出結果を用いる。このため、記録再生装置５０においても、第２の実施の形態の場合と同様に記録処理部４２及びアドレス検出部４４が設けられている。この場合、アドレス検出部４４にて再生時に得られるアドレス情報Ａｄは、コントローラ５３に対して供給される。
【０１２２】
また、信号生成回路５１にて生成された位置情報検出用信号Ｄｐｓは、位置情報検出部３２に対して供給される。そして、位置情報検出部３２にて検出された絶対位置情報ＰＳは、コントローラ５３に対して供給され、記録時におけるシーク動作制御に用いられる。
【０１２３】
サーボ回路５２には、信号生成回路５１にて生成されたフォーカスエラー信号ＦＥ-rp、トラッキングエラー信号ＴＥ-rpが入力される。
サーボ回路５２はこれらフォーカスエラー信号ＦＥ-rp、トラッキングエラー信号ＴＥ-rpに基づきそれぞれフォーカスサーボ信号ＦＳ-rp、トラッキングサーボ信号ＴＳ-rpを生成し、それぞれフォーカスドライバ３４、トラッキングドライバ３５に出力する。
また、サーボ回路５２は、コントローラ５３からの指示に基づきフォーカスサーボ・トラッキングサーボの引き込み制御やトラックジャンプパルスの出力なども行う。
【０１２４】
コントローラ５３は、第２の実施の形態で説明した記録時と再生時とでのサーボ切り替え制御を行わない点以外は、コントローラ４７と同様となる。
この場合のコントローラ５３は、記録時には、位置情報検出部３２から供給される絶対位置情報ＰＳに基づき、サーボ回路５２に対するシーク動作制御を行う。また再生時には、アドレス検出部４４より供給されるアドレス情報Ａｄに基づきサーボ回路５２に対するシーク動作制御を行う。
【０１２５】
上記のような第３の実施の形態としての記録再生装置５０によれば、サーボ制御や位置情報の検出を含めた記録再生動作を録再用レーザ１１としての単一の光源のみを用いて行うことができるため、光学系をシンプルに構成でき、部品点数の削減や製品コストの削減を図ることができる。
【０１２６】
＜４．第４の実施の形態＞
第４の実施の形態は、ホログラムガイド層をホログラム記録材料に干渉縞を形成することで生成するのではなく、いわゆるエンボス型のホログラムで形成するものである。
【０１２７】
図１２は、第４の実施の形態としてのバルク型記録媒体６０の断面構造を示している。
ここで、先のホログラムガイド層３に形成される干渉縞は、凹凸形状の形成パターンにより実現することもできる。つまり、いわゆるエンボス型のホログラムで実現できる。
図示するようにバルク型記録媒体６０は、凹凸の断面形状を有するようにされた面が設けられ、そこに反射膜６２が形成されている。このように凹凸の断面形状を有するように形成された反射膜６２が、ホログラムガイド層３と同様の機能を果たすものとなる。この意味で以下、反射膜６２についてはホログラムガイド層６２とも表記する。
【０１２８】
ここで、第１及び第２の実施の形態のように録再用レーザ光とは別途にサーボ用レーザ光を照射し且つサーボ用レーザ光の回折光に基づきサーボ制御を行う場合には、録再用レーザ光がバルク層４に到達できるようにすべく、上記反射膜６２としてはサーボ用レーザ光と同波長帯による光は反射しそれ以外の波長による光は透過する波長選択性を有する選択反射膜を用いる。
また、第３の実施の形態のように録再用レーザ光のみを照射する場合に対応しては、上記反射膜６２として半反射膜を用いる。この場合、反射膜６２は特に波長選択性を有する必要性はない。
【０１２９】
バルク型記録媒体６０において、ホログラムガイド層６２の上層側には、カバー層６１が形成され、またホログラムガイド層６２の下層側にはバルク層４が形成される。さらにバルク層４の下層側には、基板５が形成される。
【０１３０】
図１３は、図１２に示すバルク型記録媒体６０の製造方法の例について説明するための図である。
先ず、バルク型記録媒体６０の製造にあたっては、図１３（ａ）に示すような原盤６３を生成する。この原盤６３は、先のホログラムガイド層３と同様の回折作用が得られるホログラムガイド層６２を生成するための凹凸断面形状の転写を行うにあたって必要となる。
【０１３１】
このとき、ホログラムガイド層３と同様の回折作用を得るための凹凸形状は、いわゆる計算機合成ホログラム（ＣＧＨ：Computer Generated Hologram）として、コンピュータ演算により求めることができる。原盤６３は、このようにして演算により求めた凹凸形状をフォトリソグラフィにより形成して成る。
【０１３２】
そして、この原盤６３を用いて、凹凸形状が転写されたカバー層６１を生成する。カバー層６１の生成は、図１３（ｂ）に示すように、カバー層６１の生成材料としてのカバー層材料６１’を用いて、例えば射出成形などにより凹凸形状を転写して行う。このとき、カバー層生成材料６１’としては、例えばポリカーボネートやアクリル等の樹脂を用いる。
このような生成工程により、図１３（ｃ）に示すようなカバー層６１が得られる。
【０１３３】
生成されたカバー層６１に対しては、図１３（ｄ）に示すように、その凹凸形状の転写面側に反射膜６２を例えばスパッタリングや蒸着等によって成膜する。これにより、ホログラムガイド層６２が形成されたことになる。
【０１３４】
このように形成されたホログラムガイド層６２に対し、図１３（ｅ）に示すようにバルク層材料４’を塗布して、バルク層４を形成する。
この場合、バルク層材料４’としては、例えば紫外線硬化樹脂を用いており、上記のようにバルク層材料４’を塗布後、紫外線照射による硬化処理を施すことで、ホログラムガイド層６２の下層側にバルク層４が形成される。
図示は省略したが、このように形成されたバルク層４の下層側に対し、基板５を貼り合わせ等により形成して、図１２に示したバルク型記録媒体６０が生成される。
【０１３５】
なお、上記による説明では、原盤６３から直接的にカバー層６１を生成するものとしたが、製造効率の向上のため図１３（ａ）に示す原盤６３と同形状のスタンパを複数形成しておき、これらのスタンパを用いてカバー層６１を生成することも勿論可能である。このとき、上記スタンパを生成するための原盤としては、図１３（ａ）に示すものとその凹凸断面形状パターンが反転したものを生成することになる。
【０１３６】
＜５．変形例＞
以上、本発明の実施の形態について説明したが、本発明としてはこれまでで説明した具体例に限定されるべきものではない。
例えばこれまでの説明では、第１〜第３の実施の形態のバルク型記録媒体（１又は１’）が備えるホログラムガイド層３のような、ホログラム記録材料に干渉縞を形成して成るホログラムガイド層のマスターとなるマスターホログラムガイド層Ｈｍの生成を、図３に示したようなマスター作成用多層構造体４ｉを用いて行う場合を例示したが、マスターホログラムガイド層Ｈｍの生成手法は、図３にて説明したものに限定されるべきものではなく、例えば以下のような手法とすることもできる。
【０１３７】
図１４は、マスターホログラムガイド層Ｈｍの他の生成手法について説明するための図である。
この手法では、先の図３で説明した物体光を、図中の空間光変調器ＳＬＭによってレーザ光を変調することで再現する。この場合、空間光変調器ＳＬＭとしては透過型の液晶素子を備えた透過型のものを用いているが、例えば反射型の液晶素子やＤＭＤ（Digital Micro mirror Device：登録商標）を備えた反射型のものを用いることもできる。
【０１３８】
この場合、マスターホログラムガイド層材料Ｈｍ’に各情報記録層位置Ｌごとの干渉縞を形成するにあたっては、参照光を照射する対物レンズＯＬ-r、及び上記空間光変調器ＳＬＭを介して物体光を照射する対物レンズＯＬ-bに関しては、先の図３の場合と同様に、参照光、物体光が各情報記録層位置Ｌに対応する個々の位置に逐次合焦するように制御する。
そして、これと同時に、空間光変調器ＳＬＭでの変調パターン（空間光変調パターン）を、各情報記録層位置Ｌに対応するパターンに逐次変化させることで、マスターホログラムガイド層材料Ｈｍ’に各情報記録層位置Ｌごとの干渉縞を形成する。
【０１３９】
ここで、空間光変調器ＳＬＭで逐次設定されるべき各情報記録層位置Ｌごとの変調パターンは、上述のＣＧＨとして予め演算により求めておくことができる。具体的には、個々の情報記録層位置Ｌに対応する仮想反射面からの反射光の光束を逆演算することで求めることができる。
【０１４０】
なお確認のために述べておくと、一の情報記録層位置Ｌに対応する干渉縞の形成時には、図３で説明した手法と同様にマスターホログラムガイド層材料Ｈｍ’を平行移動させるなどして、マスターホログラムガイド層材料Ｈｍ’の全面（或いは必要な領域の全面）に干渉縞を形成する。
【０１４１】
ここで、この図１４で説明したような空間光変調器ＳＬＭで物体光を生成する手法を含め、ホログラム記録材料に干渉縞が形成されて成るホログラムガイド層３を生成するにあたっては、マスターホログラムガイド層Ｈｍの作成は必ずしも必要ではない。つまり、ホログラムガイド層材料３’に対して直接的に図３や図１４に示した手法により各情報記録層位置Ｌごとの干渉縞を形成するといったこともできる。
【０１４２】
また、これまでの説明では、バルク層（記録層）４とホログラムガイド層３とが別体で形成される場合を例示したが、次の図１５（ａ）に示されるように、ホログラムガイド層と記録層とを一体としたバルク型記録媒体７０とすることもできる。
図示するようにこのバルク型記録媒体７０は、カバー層２の下層側にホログラムガイド層兼記録層７１が形成され、さらにその下層側に基板５が形成される。ホログラムガイド層兼記録層７１は、ホログラム記録材料で構成される。
【０１４３】
このホログラムガイド層兼記録層７１は、ホログラムガイド層３の厚さをホログラムガイド層３＋バルク層４の厚さとしたものと考えればよい。
ここで、この場合、各情報記録層位置Ｌは、ホログラムガイド層兼記録層７１内に設定されることになる。つまりこの場合は、このようにホログラムガイド層兼記録層７１内に設定された各情報記録層位置Ｌに録再用レーザ光の焦点が一致したときに受光面上に合焦像が得られるようにしてホログラムガイド層兼記録層７１（又はそのマスター）に干渉縞を形成すればよい。
これにより、図１５（ｂ）に示すように或る情報記録層位置Ｌに焦点が合うように対物連レンズを介した光照射を行ったときに、受光面上に合焦像が形成され且つ仮想トラックＶtr_lが形成されているかのような像を得ることができる。
【０１４４】
ここで、ホログラム記録材料に対しても、一定以上のパワーによる録再用レーザ光が集光することでボイド（空包）が形成されることが確認されている。従って、上記のようにホログラムガイド層が記録層を兼ねることができる。
【０１４５】
また、これまでの説明では、記録層内に設定する情報記録層位置Ｌの設定数を５とする場合を例示したが、情報記録層位置Ｌの設定数はより多く又はより少なくすることもできる。
【０１４６】
また、これまでの説明において、録再用レーザ光と共にサーボ用レーザ光も照射する実施の形態では、録再用レーザ光の波長＝４０５ｎｍ程度、サーボ用レーザ光の波長＝６４０ｎｍ程度とする場合を例示したが、ホログラムガイド層にてサーボ用レーザ光のみを選択的に回折させるという観点では、サーボ用レーザ光に対する録再用レーザ光の波長差は、少なくともホログラムガイド層でのブラッグの回折条件を満たさない程度の差が与えられていればよい。例えば具体的には、約１０ｎｍ以上の差が与えられていればよい。
しかし実際には、装置側に備えられるダイクロイックプリズム１６は、例えば上記１０ｎｍ程度などという非常に近接した波長差による光を選別することは非常に困難であり、仮に実現可能であっても非常に高コストとなる。このため現実的には、録再用レーザ光とサーボ用レーザ光の波長差としては、十分に大きくとることが望ましい（例えば１００ｎｍ以上）ものとなる。
【０１４７】
また、これまでの説明では、本発明が記録層に対するマーク記録と記録マークの再生の双方を行う記録再生装置に適用される場合を例示したが、本発明としては、記録層に対するマーク記録のみを行う記録装置（記録専用装置）や、記録されたマークの再生のみを行う再生装置（再生専用装置）に対しても好適に適用できる。
【符号の説明】
【０１４８】
１,１’,６０,７０  バルク型記録媒体、２,６１  カバー層、３  ホログラムガイド層、Ｌ１〜Ｌ５  情報記録層位置、ＯＬ-r,ＯＬ-b,１７  対物レンズ、Ｈｍ’  マスターホログラムガイド層材料、４ｉ  マスター作成用多層構造体、３’  ホログラムガイド層材料、Ｈｍ  マスターホログラムガイド層、１０,４０,５０  記録再生装置、ＯＰ１,ＯＰ２,ＯＰ３  光学ピックアップ、１１  録再用レーザ、１２,２２  コリメートレンズ、１３,２３  偏光ビームスプリッタ、１４  ミラー、１５,２４  １／４波長板、１６  ダイクロイックプリズム、１７  対物レンズ、１８  ２軸アクチュエータ、１９,２５  集光レンズ、２０  録再光用受光部、２６,４１  シリンドリカルレンズ、２７  サーボ光用受光部、２８,４２  記録処理部、２９,４３  録再光用信号生成回路、３０  再生処理部、３１  サーボ光用信号生成回路、３２  位置情報検出部、３３,５２  サーボ回路、３４  フォーカスドライバ、３５  トラッキングドライバ、３６,４７,５３  コントローラ、４４  アドレス検出部、４５  録再光用サーボ回路、４６  サーボ光用サーボ回路、５１  信号生成回路、６２  反射膜（ホログラムガイド層）、６３  原盤、７１  ホログラムガイド層兼記録層
【図１】
2011204323.tif 000003
【図２】
2011204323.tif 000004
【図３】
2011204323.tif 000005
【図４】
2011204323.tif 000006
【図５】
2011204323.tif 000007
【図６】
2011204323.tif 000008
【図７】
2011204323.tif 000009
【図８】
2011204323.tif 000010
【図９】
2011204323.tif 000011
【図１０】
2011204323.tif 000012
【図１１】
2011204323.tif 000013
【図１２】
2011204323.tif 000014
【図１３】
2011204323.tif 000015
【図１４】
2011204323.tif 000016
【図１５】
2011204323.tif 000017
【図１６】
2011204323.tif 000018